(57)【特許請求の範囲】
【請求項１】
１つ以上の色を有する樹脂材質からなるベース層を準備するステップと；
前記ベース層の上面に、前記ベース層の色が透過または半透過されるように所定の１つ以上の色を実現する塗料が印刷されて形成されるデコ層を準備するステップと；
前記デコ層の上面にデコ補強層を形成するステップと；からなり、
前記ベース層は、
アクリル系樹脂、ウレタン系樹脂、エポキシ樹脂、およびこれらの混合物からなる群の中から選択されたいずれか１つからなるベース原料と、熱吸収剤と所定の色に対応する色素とを含む添加剤と、が混合されてなる樹脂シート層と；
前記樹脂シート層の上面及び下面のいずれか一方の面に備えられる紫外線吸収層と；を含み、
前記デコ層は、
ａ）パッド印刷、水圧転写、スクリーン印刷、ＩＭＤ、カラースプレー塗装、熱転写、ロール印刷の中から選択される１つとレーザ彫刻とを用いて製造されるリアルウッドパターン、カーボンパターン、クロムパターン、定型化パターン、ストーンパターンのうちのいずれか１つであり、
ｂ）質感、明暗、量感が付与されるように所定の木目模様の配列に沿って所定の長さ、高さ及び深さを有するエンボス部及び彫り込み部が一体に形成されることを特徴とする、デコレーションパネルの製造方法。
【請求項２】
前記デコ補強層は、１０〜３０重量％の黄色顔料と、５〜１０重量％の赤色顔料と、５〜２５％の黒色顔料と、ウレタン樹脂を含有する５５〜６０重量％の透明塗料を含むステイン塗料が塗布されることを特徴とする、請求項１に記載のデコレーションパネルの製造方法。
【請求項３】
前記ベース層は、所定の木目模様の配列に対応するように彫り込み部またはエンボス部が一体に形成されることを特徴とする、請求項１に記載のデコレーションパネルの製造方法。
【請求項４】
前記デコ補強層の上部が平坦化されるように平坦化層がさらに積層されることを特徴とする、請求項１に記載のデコレーションパネルの製造方法。
【請求項５】
前記デコ補強層は、ステイン塗料の塗装と同時に強制的に乾燥することを特徴とする、請求項１に記載のデコレーションパネルの製造方法。
【請求項６】
上部にデコ層、デコ補強層、平坦化層のうちのいずれか１つ以上が積層されるベース層が、カップホルダー蓋に適用され、
前記ベース層は、互いに連結される単位ブロックの上面が互いに密着して一定の面積を有する板状を呈し、曲げ可能に製造されることを特徴とする、請求項１乃至６のいずれか１項に記載のデコレーションパネルの製造方法。
【請求項７】
前記デコ層またはベース層の一部に象嵌取付部をさらに陥没形成して象嵌デコを積層することを特徴とする、請求項６に記載のデコレーションパネルの製造方法。
【請求項８】
前記象嵌取付部の上部に積層される象嵌デコは、象嵌取付部に対応する一定の形状で、シートの上側に基本デコ層が予め積層接合されることを特徴とする、請求項７に記載のデコレーションパネルの製造方法。
【請求項９】
有色または半透明色を有する樹脂材質からなるベース層を準備するステップと；
前記ベース層の一面に、前記ベース層の色が透過または半透過されるように所定の１つ以上の色を実現する塗料からなるデコ層を積層するステップと；
前記デコ層の上面にデコ補強層を積層するステップと、からなり、
前記ベース層は、
アクリル系樹脂、ウレタン系樹脂、エポキシ樹脂、およびこれらの混合物からなる群の中から選択されたいずれか１つからなるベース原料と、熱吸収剤と所定の色に対応する色素とを含む添加剤と、が混合されてなる樹脂シート層と；
前記樹脂シート層の上面及び下面のいずれか一方の面に備えられる紫外線吸収層と；を含み、
前記デコ層は、
ａ）パッド印刷、水圧転写、スクリーン印刷、ＩＭＤ、カラースプレー塗装、熱転写、ロール印刷の中から選択される１つとレーザ彫刻とを用いて製造されるリアルウッドパターン、カーボンパターン、クロムパターン、定型化パターン、ストーンパターンのうちのいずれか１つであり、
ｂ）質感、明暗、量感が付与されるように所定の木目模様の配列に沿って所定の長さ、高さ及び深さを有するエンボス部及び彫り込み部が一体に形成され、前記ベース層の上側面にはエンボス部及び彫り込み部が接触するようにデコ層を積層されていることを特徴とする、デコレーションパネルの製造方法。
【請求項１０】
１つ以上の色を有する樹脂材質からなるベース層を準備するステップと；
前記ベース層の上面に、前記ベース層の色が透過または半透過されるように所定の１つ以上の色を実現する塗料からなるデコ層を準備するステップと；からなり、
前記デコ層の上面にはデコ補強層を形成し、
前記ベース層は、
アクリル系樹脂、ウレタン系樹脂、エポキシ樹脂、およびこれらの混合物からなる群の中から選択されたいずれか１つからなるベース原料と、熱吸収剤と所定の色に対応する色素とを含む添加剤と、が混合されてなる樹脂シート層と；
前記樹脂シート層の上面及び下面のいずれか一方の面に備えられる紫外線吸収層と；を含み、
前記デコ層は、
ａ）パッド印刷、水圧転写、スクリーン印刷、ＩＭＤ、カラースプレー塗装、熱転写、ロール印刷の中から選択される１つとレーザ彫刻とを用いて製造されるリアルウッドパターン、カーボンパターン、クロムパターン、定型化パターン、ストーンパターンのうちのいずれか１つであり、
ｂ）質感、明暗、量感が付与されるように所定の木目模様の配列に沿って所定の長さ、高さ及び深さを有するエンボス部及び彫り込み部が一体に形成され、
前記デコ層は、予めシート状に製造され、ベース層の上面に接着剤を用いて積層接合されることを特徴とする、デコレーションパネルの製造方法。
【請求項１１】
１つ以上の色を有する樹脂材質からなるベース層と；
前記ベース層の上面に積層され、前記ベース層の色が透過または半透過されるように所定の１つ以上の色を実現するデコ層と；を含み、
前記デコ層の上面に積層されるデコ補強層と；が一体化される一体型積層構造からなり、
前記デコ層は、パッド印刷、水圧転写、スクリーン印刷、ＩＭＤ、カラースプレー塗装、熱転写、ロール印刷の中から選択される１つとレーザ彫刻とを用いて製造されるリアルウッドパターン、カーボンパターン、クロムパターン、定型化パターン、ストーンパターンのうちのいずれか１つであり、
前記ベース層は、アクリル系樹脂、ウレタン系樹脂、エポキシ樹脂、およびこれらの混合物からなる群の中から選択されたいずれか１つからなるベース原料と、熱吸収剤と所定の色に対応する色素とを含む添加剤と、が混合されてなる樹脂シート層と；前記樹脂シート層の上面及び下面のいずれか一方の面に備えられる紫外線吸収層と；からなることを特徴とする、デコレーションパネル。
【請求項１２】
前記デコ補強層の上面が平坦化されるように形成された平坦化層がさらに積層されることを特徴とする、請求項１１に記載のデコレーションパネル。
【請求項１３】
前記デコレーションパネルは、カップホルダー蓋に適用され、
前記カップホルダー蓋は、互いに連結される単位ブロックの上面が互いに密着して一定面積を有する板状を呈し、曲げ可能に設けられることを特徴とする請求項１１に記載のデコレーションパネル。
【請求項１４】
前記カップホルダー蓋は、デコ補強層または平坦化のための平坦化層がさらに備えられる構成の中から選択されることを特徴とする、請求項１３に記載のデコレーションパネル。
【請求項１５】
前記カップホルダー蓋は、硬質材の単位ブロックとその上側に連結される軟質材とからなる二重射出、または接着層を有するシートの上側に複数の単位ブロックがそれぞれ接合される構成の中から選択されることを特徴とする、請求項１３に記載のデコレーションパネル。
【請求項１６】
前記カップホルダー蓋は、
単位ブロックが連結手段を介して互いに連結される構成、または、
連結部に流動ホールが介在され、金型によって複数の単位ブロックが一体に成形される構成の中から選択されるいずれか一方の構成を有することを特徴とする、請求項１３に記載のデコレーションパネル。
【請求項１７】
前記デコレーションパネルやカップホルダー蓋では、デコ層または単位ブロックからなるベース層の一部に象嵌取付部が備えらえて象嵌デコがさらに形成され、上部にデコ補強層が積層されることを特徴とする、請求項１１又は１３に記載のデコレーションパネル。
【請求項１８】
前記デコ補強層の上側に平坦化層がさらに積層されることを特徴とする、請求項１７に記載のデコレーションパネル。
【発明の詳細な説明】
【技術分野】
【０００１】
本発明は、デコレーションパネル及びその製造方法に係り、さらに詳しくは、パネルに立体感及び質感を付与することで、製品の品質を改善させ、様々な部分に適用させる車用デコレーションパネル及びその製造方法に関する。
【背景技術】
【０００２】
一般に、自動車の内・外装材として自動車のコンソールボックスや計器板周辺のパネルだけでなく、電気炊飯器等のケースやカバー等の家電製品にも樹脂成形品が幅広く利用されている。
【０００３】
特に、自動車内部の運転席及び助手席の周辺に取り付けられるダッシュボード（ｄａｓｈ  ｂｏａｒｄ）及びオーディオデッキ、ギア変速部、エアバッグ、ドアロック及び窓開閉部等には、各種の制御部及び便宜装置が設けられる。
【０００４】
このとき、各種の制御装置及び便宜装置の外郭と内装材との間の隙間には、内装材仕上げパネルが設けられ、内装材を仕上げ処理するようになり、このような仕上げパネルは、車両の室内の外観を決定する重要な要素となっている。
【０００５】
このように、自動車の仕上げパネルは、自動車内部の美感に相当な影響を及ぼすので、自動車が個性化される現在の傾向において、外観上の美的な要求が益々高くなっているのが現状である。
【０００６】
それに伴い、近来は、外観の洗練さ及び高級な質感を得るために、リアルウッド等のリアル製品を素材にした自動車用内装材への要求が増加している。
【０００７】
一方、内装材としてリアルウッドなどを利用して仕上げパネルを製造する従来の工法であるラミネート工法によれば、ウッドが被覆される基材を基層として敷き、その上に経木を敷いた後、仕上げ工程として前記経木の表面をコーティング、研磨して製造する。
【０００８】
このような技術に関連する１つの方法として、ジャゲ（貝殻の内側、虹色光沢を持った真珠層の部分を切り出した板状の素材、螺鈿細工に用いられるもの）を用いた自動車用内装材製造方法の技術が、従来の大韓民国特許第５６９４３４号に提案されており、その構成においては、図１に示すように、金型にトリミングされたアルミ薄板１２及び類似木１４を入れて圧縮成形した後、脱型することにより予備性型品１０を完成させ、前記予備性型品１０を射出用モールド１６に挿入した後、樹脂を一体に射出成形することにより、車両に取り付けるための取付端、ブラケット、フランジなどを一体に成形し、前記射出成形された内装材製品１８の外表面、すなわちアルミ薄板１２の表面にリアルウッド２０を貼り付け、象嵌技法を用いてジャゲをはめ込む工程を行う。
【０００９】
そして、前記射出成形された内装材のアルミ薄板１２の表面に所定のデコ層として彫り込み加工されたリアルウッド２０を貼り付け、前記彫り込み加工溝２２にジャゲ２４を挿着した後、ジャゲ２４の表面が不均一であるため、均一な表面を有するように研磨する工程を行い、前記ジャゲ２４を含むリアルウッド２０の表面をコーティング剤でコーティングし、次いで研磨及び光沢を出す工程を行う。
【００１０】
しかしながら、かかる内装材の製造方法は、アルミ薄板１２の表面にリアルウッド２０を貼りつける単純な構成で耐久性が低下し、リアルウッド２０に彫り込み加工溝２２を構成し、ジャゲ２４をはめこんだ後、研磨工程を行るため、工程が複雑になるという欠点がある。
【００１１】
一方、自動車用カップホルダーは、オーディオ、エアコンの調整板などが設けられるセンターフェイシアパネルに引き込みまたは引き出しされるスライド式で設けられるか、またはギア変速レバーとコンソールボックスとの間のフロアコンソールトレイに露出可能に設けられる。
【００１２】
加えて、前記カップホルダーの上部にはカバーが設けられて外側に美麗な外観を有し、前記カバーには、樹脂を成形した樹脂成形品が広く使用されており、前記カバーは、製品の美感に大きな影響を与えるので、外観上美的要求がますます増えており、最近では外観の洗練さ及び高級な質感を得るためにリアルウッドなどのリアル成形品を素材とした内装材の需要が増加している。
【００１３】
このような技術に関連して、リアルウッドの製造方法の技術が、従来の大韓民国公開特許第２０１６−１２１８６９号に開示されており、その構成においては、図２に示すように、テクニカルベニヤ層１０の上面に紙の接着剤である接着層５０を塗布して補強層２０を積層し、次いで補強層２０の上面に接着層５０を再び塗布して不織布３０を積層し、不織布３０の上面に接着層５０を塗布して最後にデコベニヤ層４０を積層する。
【００１４】
そして、前記テクニカルベニヤ層１０の上面に積層する補強層２０は、合成樹脂またはアルミニウムで形成可能であり、好ましくは、アルミニウムで形成されることにより、リアルウッド全体の耐久性を安定して確保し、前記デコベニヤ層によって一定のパターンを実現することができる。
【００１５】
しかしながら、前記のようなリアルウッドの製造方法は、各テクニカルベニヤ層１０、補強層２０、不織布３０及びデコベニヤ層４０が積層接合される構成を有するため、製造工程が複雑であり、且つ耐久性が低下し、しかも補強層がアルミニウムからなるため、成形が困難となり、さらに重量が増加するという欠点がある。
【先行技術文献】
【特許文献】
【００１６】
【特許文献１】大韓民国特許第５６９４３４号
【特許文献２】大韓民国公開特許第２０１６−１２１８６９号
【発明の概要】
【発明が解決しようとする課題】
【００１７】
本発明は、上記の問題を解決するためになされたものであり、その目的は、簡単な構成で、リアルウッド特有の質感が付与されるだけでなく、彫り込み部の内部が半透過されて、ウッド実写パターンが実際のウッドパネル（原木パネル）を使用したものと類似したユニークで高級な美感を提供することで、製品の品質をより一層向上できるようにし、彫り込み部の深さによって、実際のウッドパネルの木目模様と類似するように様々な高さ差を有する立体感を付与することで、製品の美しい外観を提供できるようにしたデコレーションパネル及びその製造方法を提供することである。
【００１８】
また、本発明の他の目的は、象嵌技法を用いたパネルの製造を可能にし、パネルの洗練さ及び高級な質感を実現可能にし、様々な形状を実現できるようにしたデコレーションパネル及びその製造方法を提供することである。
【００１９】
また、本発明のまた他の目的は、カップホルダー蓋の洗練さ及び高級な質感を実現可能にし、カップホルダー蓋を容易に製造できるようにしたデコレーションパネル及びその製造方法を提供することである。
【課題を解決するための手段】
【００２０】
上記目的を達成するために、本発明は、
１つ以上の色を有する樹脂材質からなるベース層を準備するステップと；
前記ベース層の上面に、前記ベース層の色が透過または半透過されるように所定の１つ以上の色を実現する塗料が印刷されて形成されるデコ層を準備するステップと；
前記デコ層の上面にデコ補強層を形成するステップと；からなり、
前記デコ層が、
ａ）パッド印刷、水圧転写、スクリーン印刷、ＩＭＤ、カラースプレー塗装、熱転写、ロール印刷の中から選択される１つとレーザ彫刻とを用いて製造されるリアルウッドパターン、カーボンパターン、クロムパターン、定型化パターン、ストーンパターンのうちのいずれか１つであり、
ｂ）質感、明暗、量感が付与されるように所定の木目模様の配列に沿って所定の長さ、高さ及び深さを有するエンボス部及び彫り込み部が一体に形成される、デコレーションパネルの製造方法を提供する。
【００２１】
そして、本発明は、前記デコ補強層が、１０〜３０重量％の黄色顔料と、５〜１０重量％の赤色顔料と、５〜２５％の黒色顔料と、ウレタン樹脂を含有する５５〜６０重量％の透明塗料を含むステイン塗料が塗布される、デコレーションパネルの製造方法を提供する。
【００２２】
また、本発明は、前記ベース層が、所定の木目模様の配列に対応するように彫り込み部またはエンボス部が一体に形成される、デコレーションパネルの製造方法を提供する。
【００２３】
さらに、本発明は、前記ベース層が、アクリル系樹脂、ウレタン系樹脂、エポキシ樹脂、およびこれらの混合物からなる群の中から選択されたいずれか１つからなるベース原料と、熱吸収剤と所定の色に対応する色素とを含む添加剤と、が混合されてなる樹脂シート層と；前記樹脂シート層の上面及び下面のいずれか一方の面に備えられる紫外線吸収層と；を含む、デコレーションパネルの製造方法を提供する。
【００２４】
続いて、本発明は、前記デコ補強層の上部が平坦化されるように平坦化層がさらに積層される、デコレーションパネルの製造方法を提供する。
【００２５】
また、本発明は、前記デコ補強層が、ステイン塗料の塗装と同時に強制的に乾燥する、デコレーションパネルの製造方法を提供する。
【００２６】
さらに、本発明は、上部にデコ層、デコ補強層、平坦化層のうちのいずれか１つ以上が積層されるベース層が、カップホルダー蓋に適用され、
前記ベース層が、互いに連結される単位ブロックの上面が互いに密着して一定の面積を有する板状を呈し、曲げ可能に製造される、デコレーションパネルの製造方法を提供する。
【００２７】
続いて、本発明は、前記デコ層またはベース層の一部に象嵌取付部をさらに陥没形成して象嵌デコを積層する、デコレーションパネルの製造方法を提供する。
【００２８】
そして、本発明は、前記象嵌取付部の上部に積層される象嵌デコが、象嵌取付部に対応する一定の形状で、シートの上側に基本デコ層が予め積層接合される、デコレーションパネルの製造方法を提供する。
【００２９】
一方、本発明は、
有色または半透明色を有する樹脂材質からなるベース層を準備するステップと；
前記ベース層の一面に、前記ベース層の色が透過または半透過されるように所定の１つ以上の色を実現する塗料からなるデコ層を積層するステップと；前記デコ層の上面にはデコ補強層を積層するステップと、かならなり、
前記ベース層は、
アクリル系樹脂、ウレタン系樹脂、エポキシ樹脂、およびこれらの混合物からなる群の中から選択されたいずれか１つからなるベース原料と、熱吸収剤と所定の色に対応する色素とを含む添加剤と、が混合されてなる樹脂シート層と；
前記樹脂シート層の上面及び下面のいずれか一方の面に備えられる紫外線吸収層と；を含み、
前記デコ層が、
ａ）パッド印刷、水圧転写、スクリーン印刷、ＩＭＤ、カラースプレー塗装、熱転写、ロール印刷の中から選択される１つとレーザ彫刻とを用いて製造されるリアルウッドパターン、カーボンパターン、クロムパターン、定型化パターン、ストーンパターンのうちのいずれか１つであり、
ｂ）質感、明暗、量感が付与されるように所定の木目模様の配列に沿って所定の長さ、高さ及び深さを有するエンボス部及び彫り込み部が一体に形成され、前記ベース層の一側面にエンボス部及び彫り込み部が接触するようにデコ層を積層して、ベース層の下側にデコ層が位置づけられるようにする、デコレーションパネルの製造方法を提供する。
【００３０】
一方、本発明は、
１つ以上の色を有する樹脂材質からなるベース層を準備するステップと；
前記ベース層の上面に、前記ベース層の色が透過または半透過されるように所定の１つ以上の色を実現する塗料からなるデコ層を準備するステップと；からなり、
前記デコ層の上面にはデコ補強層を形成し、
前記ベース層は、
アクリル系樹脂、ウレタン系樹脂、エポキシ樹脂、およびこれらの混合物からなる群の中から選択されたいずれか１つからなるベース原料と、熱吸収剤と所定の色に対応する色素とを含む添加剤と、が混合されてなる樹脂シート層と；
前記樹脂シート層の上面及び下面のいずれか一方の面に備えられる紫外線吸収層と；を含み、
前記デコ層が、
ａ）パッド印刷、水圧転写、スクリーン印刷、ＩＭＤ、カラースプレー塗装、熱転写、ロール印刷の中から選択される１つとレーザ彫刻とを用いて製造されるリアルウッドパターン、カーボンパターン、クロムパターン、定型化パターン、ストーンパターンのうちのいずれか１つであり、
ｂ）質感、明暗、量感が付与されるように所定の木目模様の配列に沿って所定の長さ、高さ及び深さを有するエンボス部及び彫り込み部が一体に形成され、
前記デコ層が、予めシート状に製造され、ベース層の上面に接着剤を用いて積層接合される、デコレーションパネルの製造方法を提供する。
【００３１】
他の一方、本発明は、１つ以上の色を有する樹脂材質からなるベース層と；前記ベース層の上面に積層され、前記ベース層の色が透過または半透過されるように所定の１つ以上の色を実現するデコ層と；を含み、前記デコ層の上面に積層されるデコ補強層が一体化される一体型積層構造からなり、前記デコ層は、パッド印刷、水圧転写、スクリーン印刷、ＩＭＤ、カラースプレー塗装、熱転写、ロール印刷の中から選択される１つとレーザ彫刻とを用いて製造されるリアルウッドパターン、カーボンパターン、クロムパターン、定型化パターン、ストーンパターンのうちのいずれか１つであり、前記ベース層は、アクリル系樹脂、ウレタン系樹脂、エポキシ樹脂、およびこれらの混合物からなる群の中から選択されたいずれか１つからなるベース原料と、熱吸収剤と所定の色に対応する色素とを含む添加剤と、が混合されてなる樹脂シート層と；前記樹脂シート層の上面及び下面のいずれか一方の面に備えられる紫外線吸収層と；からなる、デコレーションパネルを提供する。
【００３２】
そして、本発明は、前記デコ補強層の上面が平坦化されるように形成された平坦化層がさらに積層され、前記ベース層が、アクリル系樹脂、ウレタン系樹脂、エポキシ樹脂、およびこれらの混合物からなる群の中から選択されたいずれか１つからなるベース原料と、熱吸収剤と所定の色に対応する色素とを含む添加剤と、が混合されてなる樹脂シート層と；前記樹脂シート層の上面及び下面のいずれか一方の面に備えられる紫外線吸収層と；からなるデコレーションパネルを提供する。
【００３３】
また、本発明は、前記デコレーションパネルが、カップホルダー蓋に適用され、前記カップホルダー蓋が、互いに連結される単位ブロックの上面が互いに密着して一定面積を有する板状を呈し、曲げ可能に設けられるデコレーションパネルを提供する。
【００３４】
さらに、本発明は、前記カップホルダー蓋が、デコ補強層または平坦化のための平坦化層がさらに備えられる構成の中から選択される、デコレーションパネルを提供する。
【００３５】
そして、本発明は、前記カップホルダー蓋が、硬質材の単位ブロックとその上側に連結される軟質材とからなる二重射出、または接着層を有するシートの上側に複数の単位ブロックがそれぞれ接合される構成の中から選択される、デコレーションパネルを提供する。
【００３６】
続いて、本発明は、前記カップホルダー蓋が、単位ブロックが連結手段を介して互いに連結される構成、または、連結部に流動ホールが介在され、金型によって複数の単位ブロックが一体に成形される構成の中から選択されるいずれか一方の構成を有する、デコレーションパネルを提供する。
【００３７】
また、本発明は、前記デコレーションパネルやカップホルダー蓋では、デコ層または単位ブロックからなるベース層の一部に象嵌取付部が備えられて象嵌デコがさらに形成され、上部にデコ補強層が積層される、デコレーションパネルを提供する。
【００３８】
そして、本発明は、前記デコ補強層の上側に平坦化層がさらに積層される、デコレーションパネルを提供する。
【発明の効果】
【００３９】
本発明は、前述した解決手段により以下のような効果を奏する。
【００４０】
本発明によれば、リアルウッドの色が鮮明に表示されることによりリアルウッド特有の質感が付与されるだけでなく、彫り込み部の内部が半透過されて、ウッド実写パターンが実際のウッドパネルを使用したものと類似したユニークで高級な美感を提供することで、製品の品質をより一層向上させることができる。
【００４１】
本発明によれば、彫り込み部の深さによって、実際のウッドパネルの木目模様と類似するように様々な高さ差を有する立体感を付与することで、製品の美しい外観を提供することができる。
【００４２】
本発明は、象嵌技法を用いたパネルの製造を可能にし、カップホルダーに適用してカップホルダーの洗練さ及び高級な質感を実現することができる。
【図面の簡単な説明】
【００４３】
【図１】従来の自動車内装材の製造方法を示す作業フローチャートである。
【図２】従来のリアルウッドの製造方法によるパネルの断面図である。
【図３】本発明に係るデコレーションパネルの製造方法を示すフローチャート。
【図４】本発明に係るデコレーションパネルの製造方法においてベース層に彫り込み部が形成された状態を示す平面図である。
【図５】本発明に係るデコレーションパネルの製造方法においてベース層に彫り込み部が形成された状態を示す図である。
【図６】本発明に係るデコレーションパネルの製造方法においてベース層の上面にウッドパターン層が印刷された状態を示す平面図である。
【図７】それぞれ本発明の実施形態に係るデコレーションパネルの製造方法においてベース層の上面にウッドパターン層、デコ補強層、平坦化層がそれぞれ形成された状態を示す図である。
【図８】それぞれ本発明の実施形態に係るデコレーションパネルの製造方法においてベース層の上面にウッドパターン層、デコ補強層、平坦化層がそれぞれ形成された状態を示す図である。
【図９】それぞれ本発明の実施形態に係るデコレーションパネルの製造方法においてベース層の上面にウッドパターン層、デコ補強層、平坦化層がそれぞれ形成された状態を示す図である。
【図１０】それぞれ本発明の実施形態に係るデコレーションパネルの製造方法においてベース層の上面にウッドパターン層、デコ補強層、平坦化層がそれぞれ形成された状態を示す図である。
【図１１】それぞれ本発明の他の実施形態に係るデコレーションパネルの製造方法においてベース層の一側にウッドパターン層、デコ補強層、平坦化層がそれぞれ形成された状態を示す図である。
【図１２】それぞれ本発明の他の実施形態に係るデコレーションパネルの製造方法においてベース層の一側にウッドパターン層、デコ補強層、平坦化層がそれぞれ形成された状態を示す図である。
【図１３】それぞれ本発明の他の実施形態に係るデコレーションパネルの製造方法においてベース層の一側にウッドパターン層、デコ補強層、平坦化層がそれぞれ形成された状態を示す図である。
【図１４】それぞれ本発明の他の実施形態に係るデコレーションパネルの製造方法においてベース層の一側にウッドパターン層、デコ補強層、平坦化層がそれぞれ形成された状態を示す図である。
【図１５】本発明に係るリアルウッドパターンの製造状態を示すフローチャートである。
【図１６】本発明のまた他の実施形態に係るデコレーションパネルの適用状態図である。
【図１７】それぞれ、本発明のまた他の一実施形態に係るデコレーションパネルが適用されたカップホルダー蓋を示す断面図である。
【図１８】それぞれ、本発明のまた他の一実施形態に係るデコレーションパネルが適用されたカップホルダー蓋を示す断面図である。
【図１９】それぞれ、本発明のまた他の一実施形態に係るデコレーションパネルが適用されたカップホルダー蓋を示す断面図である。
【図２０】それぞれ、本発明のまた他の一実施形態に係るデコレーションパネルが適用されたカップホルダー蓋を示す断面図である。
【図２１】それぞれ、本発明のまた他の一実施形態に係るデコレーションパネルが適用されたカップホルダー蓋を示す断面図である。
【図２２】本発明のまた他の一実施形態に係る象嵌技法が適用されたデコレーションパネルを示す適用状態図である。
【図２３】本発明のまた他の一実施形態に係る象嵌技法が適用されたデコレーションパネルの製造状態図である。
【発明を実施するための最良の形態】
【００４４】
以下、添付図面を参照して、本発明の好適な実施形態に係るデコレーションパネルの製造方法を詳細に説明する。
【００４５】
図３〜図１０に示すように、本発明の実施形態に係るデコレーションパネルの製造方法が適用されたリアルウッドパネルは、ベース層１００、デコ層２００、デコ補強層３００及び平坦化層４００を含んでなる。
【００４６】
ここで、前記ベース層１００は、所定の第１の色を有し、樹脂材質からなる。
【００４７】
この際、前記ベース層１００は、樹脂材質の樹脂シート層１００ａと、前記樹脂シート層１００ａの上面及び下面のいずれか一方の面に備えられる紫外線吸収層１００ｂと、を含んでなってもよい。
【００４８】
そして、前記樹脂シート層１００ａは、スプレーガン等により前記添加剤が添加された前記ベース原料が、リアルウッドの質感を表現するための製品を基材として、前記基材の表面に塗布されて形成されてもよい。
【００４９】
さらに、前記樹脂シート層１００ａは、射出成形されて形成されてもよく、射出成形された前記樹脂シート層１００ａが、前記基材の表面に接着剤等を用いて接着されてもよい。
【００５０】
そして、前記デコ層２００は、前記ベース層１００の上面に少なくとも１つ以上の色を有するウッド実写パターン２１０に対応するように所定の色が半透過される複数の半透明性インクが印刷されて形成される。
【００５１】
また、前記デコ補強層３００は、前記デコ層２００の上面にリアルウッドの質感が付与されるように所定の色を有するが、前記ウッド実写パターン２１０が半透過されるステイン塗料が塗布されて形成される。
【００５２】
そして、前記平坦化層４００は、前記デコ補強層３００の上面が平坦化されるように形成される。
【００５３】
この際、前記ベース層１００には、複数のウッドライン２１０ａ、２１０ｂ、２１０ｃを含むウッド実写パターン２１０に、立体感が付与されるように所定の木目模様の配列に沿って所定の長さを有する彫り込み部５００が形成されることが好ましい。
【００５４】
具体的には、前記彫り込み部５００は、前記ベース層１００の外面に形成され、各ウッドライン２１０ａ、２１０ｂ、２１０ｃに対応する複数の彫り込み溝５００ａ、５００ｂ、５００ｃを含んでなってもよい。
【００５５】
また、前記彫り込み部５００は、前記ベース層１００の外面のうちデコ層２００が積層される一側面に形成されることが好ましく、前記ベース層１００の上面に形成されてもよい。
【００５６】
ここで、前記彫り込み部５００は、レーザマーキング加工によりレーザが前記樹脂シート層１００ａの外面に照射されることにより、前記樹脂シート層１００ａの外面が所定の木目模様の配列に沿って所定の長さを有するようにエッチングされて形成されてもよい。
【００５７】
さらに、前記樹脂シート層１００ａが射出成形により形成される場合、射出成形に使用される金型の内面が、前記彫り込み部５００に反転した形状に突出するように備えられることにより、前記樹脂シート層１００ａが、前記彫り込み部５００が形成された状態に射出成形されてもよい。
【００５８】
この時、前記樹脂シート層１００ａには、レーザマーキング加工が行われなくても前記彫り込み部５００が形成されるので、製造工程の短縮による生産性向上を図ることができる。
【００５９】
このように、前記彫り込み部５００が前記ベース層１００に形成できたら、前述のレーザマーキング加工、射出成形以外にも様々な製造方法が適用可能であり、このような変形例は、本発明の範囲に属するものである。
【００６０】
すなわち、前記デコ層は、パッド印刷、水圧転写、スクリーン印刷、ＩＭＤ（Ｉｎ  Ｍｏｌｄ  Ｄｅｃｏｒａｔｉｏｎ）、カラースプレー塗装、熱転写、ロール印刷、レーザ彫刻のうちのいずれか１つにより作られ、ベース層の上部にリアルウッド等に対応する彫り込み部５００が形成される。
【００６１】
一方、図３〜図１０に示すように、本発明のデコレーションパネルの製造方法は、以下のように行われる。
【００６２】
まず、所定の色を有し、樹脂材質からなる前記ベース層１００が準備される（ｓ１０）。
【００６３】
具体的には、前記ベース層１００は、前記樹脂シート層１００ａと、前記紫外線吸収層１００ｂと、を含んでなる。
【００６４】
この時、前記樹脂シート層１００ａは、ベース原料と添加剤とを混合してなることが好ましい。
【００６５】
ここで、前記ベース層１００が準備されるということは、好ましくは、前記基材の表面に前記ベース層１００が形成されるか、前記ベース原料から製造された製品のいずれか一面が前記ベース層１００で備えられることを包括する概念であると理解される。
【００６６】
また、前記ベース原料は、アクリル系樹脂、ウレタン系樹脂及びこれらの混合物からなる群の中から選択されたいずれか１つである。
【００６７】
この時、前記アクリル系樹脂は、透明で、高い光透過率を有し、硬度及び光沢だけでなく、低温属性硬化性と接着性、耐摩耗性、耐衝撃性および耐洗濯性などの物性に優れており、前記ウレタン系樹脂は、伸縮性、耐摩耗性、加工性などに優れているという特徴がある。
【００６８】
そして、前記添加剤は、熱吸収剤と、前記所定の色に対応する色素と、を含んでなる。
【００６９】
この時、前記色素としては、合成樹脂用有色顔料が挙げられ、前記色素と前記ベース原料とを混合することにより、樹脂シート層１００ａは、前記所定の色に対応する色を有することができる。
【００７０】
ここで、前記所定の色は、製造されるリアルウッド製品の色に応じて多様に設定することができる。
【００７１】
また、前記熱吸収剤としては、ベンゾトリアゾール（ｂｅｎｚｏｔｒｉａｚｏｌｅ）系熱吸収剤、サリチル酸（ｓａｌｉｃｙｌａｔｅ）系熱吸収剤、シアノアクリレート（ｃｙａｎｏａｃｒｙｌａｔｅ）系熱吸収剤およびトリアジン（ｔｒｉａｚｉｎｅ）系熱吸収剤などが挙げられる。
【００７２】
この時、前記熱吸収剤は、卓越な紫外線（ＵＶ）吸収能力を有し、前記樹脂シート層１００ａの変色、膨れ上がり、光沢失などを防止することができる。
【００７３】
ここで、前記樹脂シート層１００ａは、スプレーガン等により前記添加剤が添加された前記ベース原料が、前記基材の表面に塗布されて形成されてもよい。
【００７４】
もちろん、場合によっては、前記樹脂シート層１００ａは、射出成形されて形成されてもよく、射出成形された前記樹脂シート層１００ａは、接着剤８００などにより前記基材の表面に接着されてもよい。
【００７５】
一方、前記紫外線吸収層１００ｂは、樹脂シート層１００ａの上面及び下面のいずれか一方の面に備えられることが望ましい。
【００７６】
具体的には、前記紫外線吸収層１００ｂは、熱吸収剤が樹脂シート層１００ａの上面及び下面のいずれか一方の面に全体にわたって塗布されて形成されてもよく、これにより、これにより、後述するレーザマーキング加工が行われるステップにおいて、前記樹脂シート層１００ａは、紫外線吸収層１００ｂからレーザが照射される部分のレーザ光吸収量が増加して、レーザ加工性がさらに向上することができる。
【００７７】
このとき、本実施形態では、紫外線吸収層１００ｂが樹脂シート層１００ａの下面に備えられたものを一例として図示及び説明したが、前記樹脂シート層１００ａの上面に備えられてもよい。
【００７８】
一方、前記ベース層１００が準備されると（ｓ１０）、既形成された層の外面に彫り込み部５００が形成されるように、レーザマーキング加工が行われることが望ましい。
【００７９】
ここで、前記既形成された層とは、各ステップ別に形成される前記ベース層１００、デコ層２００、デコ補強層３００及び平坦化層４００のうち、レーザマーキング加工を行うステップの前に形成された少なくとも１つ以上の層であり、本実施形態において、前記既形成された層は、実質的に前記ベース層１００であると理解すればよい。
【００８０】
具体的には、前記ベース層１００の上面には、彫り込み部５００が形成されるように、レーザマーキング加工が行われる。
【００８１】
この時、前記彫り込み部５００は、所定の木目模様の配列に沿って所定の長さを持つように形成されることが望ましい。
【００８２】
ここで、所定の木目模様の配列は、図６において、デコ層２００に形成されるウッド実写パターン２１０に対応するように設定されてもよい。
【００８３】
具体的には、前記ウッド実写パターン２１０は、それぞれ異なる幅、明暗及び深さを有する前記複数のウッドライン２１０ａ、２１０ｂ、２１０ｃを含んでなってもよい。
【００８４】
そして、前記ウッド実写パターン２１０は、実際のウッドパネルの木目方向に対応するように、前記複数のウッドライン２１０ａ、２１０ｂ、２１０ｃが配列される木目方向が、前記ベース層１００の長手方向または幅方向に設定されてもよく、前記所定の木目模様の配列は、各ウッドライン２１０ａ、２１０ｂ、２１０ｃが配列される位置に対応するように設定されてもよい。
【００８５】
加えて、前記レーザマーキング加工の場合、レーザによって照射される対象体の材質別にレーザの周波数範囲に応じて反応する周波数区間があり、前記のレーザマーキング加工のための周波数範囲を、４０〜１００ｋＨｚと設定してもよい。
【００８６】
また、前記レーザマーキング加工のレーザ出力を２０〜１００Ｗ基準２５〜１００出力％と設定してもよく、前記レーザマーキング加工のマーキング速度を５００〜１０００ｍｍ／ｓｅｃの範囲と設定してもよい。
【００８７】
ここで、前記レーザマーキング速度が減少するほど、前記レーザマーキング加工時にレーザが届く表面への照射時間が増加するので、前記彫り込み部５００の彫り込み深さがより深くなる可能性がある。
【００８８】
もちろん、場合によっては、前記樹脂シート層１００ａは、金型の内面が前記彫り込み部５００に反転した形状を有するように突出する構成であって、彫り込み部５００が形成された状態で射出成形されることもできる。
【００８９】
一方、前記ベース層１００の上面にレーザマーキング加工が行われて彫り込み部５００が形成されると、前記ベース層１００の上面に、少なくとも１つ以上の色を有する前記ウッド実写パターン２１０に対応するように、前記所定の色が半透過される複数の半透明性インクが印刷されて前記デコ層２００が形成される（ｓ２０）。
【００９０】
具体的には、前記デコ層２００は、前記ウッド実写パターン２１０に対応するように、インクが前記ベース層１００の上面に印刷されて形成され得る。
【００９１】
ここで、前記ウッド実写パターン２１０は、少なくとも１つ以上の色を有する。
【００９２】
例えば、前記各ウッドライン２１０ａ、２１０ｂ、２１０ｃは、黄色インク、赤インク、黒インク及びこれらの混合物で形成されて少なくとも１つ以上の色を有するようになっているため、互いに異なる色で形成されてもよい。
【００９３】
このとき、前記各ウッドライン２１０ａ、２１０ｂ、２１０ｃは、前記黒インクの混合割合が高くなるほど明暗が低くなる可能性がある。
【００９４】
例えば、１つのウッドライン２１０ａが、他のウッドライン２１０ｂよりも全重量に対してより多くの黒インクが混合された色であれば、前記ウッドライン２１０ａの明暗が、前記ウッドライン２１０ｂの明暗よりも低くなる可能性がある。
【００９５】
ここで、前記デコ層２００を形成するインクは、全重量に対して４５〜５５重量％の透明インクを含んでなることが望ましい。
【００９６】
具体的には、前記各ウッドラインは、黄色インク、赤インク、黒インク及びこれらの混合物で形成される有色インクで印刷されて少なくとも１つ以上の色を有するが、全重量に対して４５〜５５重量％の透明インクが混合されて前記ベース層１００が半透過できる。
【００９７】
すなわち、前記デコ層２００は、前記透明インク及び前記有色インクの混合物が印刷されてなり、実質的に前記ベース層１００の前記所定の色が半透過できる。
【００９８】
ここで、前記ベース層１００の所定の色が半透過されるということは、デコ層２００を上側から見た場合、前記ベース層１００が部分的に投影されて、前記所定の色を肉眼で確認可能な状態であると理解すればよい。
【００９９】
これにより、前記デコ層２００を上側から見ると、半透過された前記所定の色と前記デコ層２００を形成するインクの色とが重畳して表示されるので、鮮明なリアルウッドカラーが提供できる。
【０１００】
一方、前記彫り込み部５００は、前記各ウッドラインに対応する前記複数の彫り込み溝５００ａ、５００ｂ、５００ｃを含んでなってもよい。
【０１０１】
ここで、各彫り込み溝の幅は、前記各ウッドラインの幅未満に設定されてもよい。
【０１０２】
具体的には、前記レーザマーキング加工時に、各彫り込み溝は、それぞれ対応する各ウッドラインの幅よりも小さく形成されてもよい。
【０１０３】
これにより、前記各ウッドラインは、前記デコ層２００の形成時、前記各彫り込み溝の内側と前記各彫り込み溝の縁部に隣接する部分に形成されてもよい。
【０１０４】
このとき、前記各ウッドラインは、前記各彫り込み溝の縁部に隣接する部分と、前記各彫り込み溝の内側に形成された部分とが、前記所定の木目模様の配列に沿って形成された前記各彫り込み溝の彫り込み深さによって高さ差を有するので、前記ウッド実写パターン２１０に立体感を付与することができる。
【０１０５】
すなわち、前記デコ層２００を上側から見ると、前記各彫り込み溝５００ａ、５００ｂ、５００ｃの縁部に隣接する部分は、各ウッドライン２１０ａ、２１０ｂ、２１０ｃの縁部であって、前記ウッド実写パターン２１０を肉眼で確認できるように表示されてもよい。
【０１０６】
また、前記各彫り込み溝の内側に形成された部分は、前記各ウッドラインの内部が肉眼で各彫り込み溝の縁部に隣接する部分から下側に向かって空間感が形成されるため、立体感が付与できる。
【０１０７】
そして、前記各彫り込み溝の内側に形成された部分には、前記ベース層１００の所定の色、それぞれに対応する前記各ウッドラインの色及び前記デコ層の所定の色が半透過された状態で混合された色が表示される。
【０１０８】
この時、前記彫り込み部５００は、前記各ウッドラインの明暗に対応するように彫り込みの深さが選択的に設定されることが望ましい。
【０１０９】
具体的には、前記各ウッドラインは赤色、黄色、黒色及びこれらの混合された色で多様に設定されてもよく、黒色の混合割合が高くなるほど明暗が低くなる。
【０１１０】
ここで、前記彫り込み部５００は、黒色の混合割合に応じて前記各ウッドラインの明暗差に対応するように彫り込みの深さが設定されてもよい。
【０１１１】
具体的には、前記彫り込み部５００は、彫り込みの深さが互いに異なるように設定された第１彫り込み溝５００ａ、第２彫り込み溝５００ｂ及び第３彫り込み溝５００ｃを含んでなってもよい。
【０１１２】
この時、前記第１彫り込み溝５００ａは、前記第１ウッドライン２１０ａに対応する位置に形成され、前記第２彫り込み溝５００ｂは、前記第２ウッドライン２１０ｂに対応する位置に形成され、前記第３の彫り込み溝５００ｃは、第３ウッドライン２１０ｃに対応する位置に形成されてもよい。
【０１１３】
ここで、前記第１ウッドライン２１０ａが、前記第２ウッドライン２１０ｂよりも黒インクの混合割合が高いため明暗が低くなっている場合、前記第１彫り込み溝５００ａの彫り込みの深さｈ１は、前記第２彫り込み溝５００ｂの彫り込みの深さｈ２よりも深く形成されてもよい。
【０１１４】
また、前記のように、前記第３ウッドライン２１０ｃが前記第２ウッドライン２１０ｂより低い明暗を有する場合、前記第３の彫り込み溝５００ｃの彫り込みの深さｈ３は、前記第２彫り込み溝５００ｂの彫り込みの深さｈ２よりも深く形成されてもよい。
【０１１５】
ここで、前記各彫り込み溝は、前記レーザマーキング加工時期設定された木目模様の配列に沿って所定の長さを持つように形成され、レーザマーキング速度が調節されて彫り込み深さが設定されることができる。
【０１１６】
これにより、前記デコ層２００は、上部から斜めで見た場合、前記各ウッドラインの明暗に対応するように形成された前記各彫り込み溝の彫り込み深さに応じて、前記ウッド実写パターン２１０が実際のウッドパネルの木目模様と類似するように様々な高さ差を有する立体感が付与されるため、製品の美しい外観を提供することができる。
【０１１７】
このとき、前記各ウッドライン及び前記各彫り込み溝が３個であることを一例として図示及び説明したが、前記ウッド実写パターン２１０は、それぞれ異なる幅、長さおよび深さを有する多様な形状のウッドラインを含んでなってもよい。
【０１１８】
一方、前記デコ層２００には、パッド印刷及び水転写から選択されたいずれか一方の工程により前記ウッド実写パターン２１０が形成されてもよい。
【０１１９】
具体的には、デコ層２００がパッド印刷工程により形成される場合、前記デコ層２００の印刷方法は、印刷分版に、前記ウッド実写パターン２１０が反転した形状にインク溝が彫り込まれるステップと、前記インク溝に所定の色のインクが充填されるステップと、前記充填されたインクが印刷用パッドに転移するステップと、前記転移したインクが前記ベース層１００の上面に転写されるステップと、によって行われてもよい。
【０１２０】
そして、前記デコ層２００が水転写により形成される場合、前記デコ層２００の印刷方法は、前記ウッド実写パターン２１０として形成されたパターンインクフィルムが準備されるステップと、前記パターンインクフィルムが水面で溶解されるステップと、水が貯水された水槽などに前記パターンインクフィルムを定着させて液化させるステップと、前記ベース層１００を前記水槽に沈めて上面に前記パターンインクフィルムが転写されるステップと、によって行われてもよい。
【０１２１】
もちろん、場合によっては、前記ベース層１００の上部に前記デコ層２００が形成される印刷方法であれば、様々な方法で印刷することができる。
【０１２２】
一方、前記ベース層１００の上面に前記デコ層２００が形成されると（ｓ２０）、前記デコ層２００の上面に、リアルウッドの質感が付与されるように所定の色を有する、前記ウッド実写パターン２１０が半透過されるステイン塗料が塗布されて前記デコ補強層３００が形成される（ｓ３０）。
【０１２３】
具体的には、前記デコ補強層３００は、ステイン塗料が前記デコ層２００の上面に塗布されて形成されてもよい。
【０１２４】
この時、前記ステイン塗料は、１０〜３０重量％の黄色顔料と、５〜１０重量％の赤色顔料と、５〜２５％の黒色顔料と、ウレタン樹脂を含有する５５〜６０重量％の透明塗料と、を含むことが好ましい。
【０１２５】
ここで、前記黄色顔料、前記赤色顔料及び前記黒色顔料は、ナノ液状顔料であってもよい。
【０１２６】
このとき、前記ナノ液状顔料は、ナノサイズの粒子を分散させたインク形態であって、耐光性及び耐熱性を維持しながらも高光沢、高透明性を維持することができる。
【０１２７】
例えば、前記所定の色は、３０重量％の黄色顔料と、１０重量％の赤色顔料と、５重量％の黒色顔料と、５５％重量％の透明塗料とを混合したオーク色に設定されてもよい。
【０１２８】
また、前記所定の色は、３０重量％の黄色顔料と、５重量％の赤色顔料と、５重量％の黒色顔料と、６０％重量％の透明塗料を混合したチェリー色に設定することができもあり、  １０重量％の黄色顔料と、５重量％の赤色顔料と、２５重量％の黒色顔料と、６０％重量％の透明塗料を混合したウォルナット色に設定されてもよい。
【０１２９】
そして、前記デコ補強層３００は、前記ステイン塗料がスプレーガンにより噴射されるか、ローラ等により前記デコ層２００の上面に塗布されて形成されてもよい。
【０１３０】
この時、前記デコ補強層３００には、透明塗料が混合されることにより着色材の役割を果たしながら、前記ウッド実写パターン２１０が半透過されることができる。
【０１３１】
ここで、前記ウッド実写パターン２１０が半透過されるということは、前記デコ補強層３００を上側から見た場合、前記デコ層２００が部分的に投影されて、前記ウッド実写パターン２１０を肉眼で確認可能な状態であると理解すればよい。
【０１３２】
これにより、前記ベース層１００、デコ層２００及び前記デコ補強層３００が積層されることによって、各層の色が重畳して表現しようとするリアルウッドの色に対応する色として鮮明に表示することができる。
【０１３３】
これにより、前記デコ補強層３００を上側から見た場合、前記デコ層２００が半透過され、リアルウッドの色味及び明暗などが鮮明に表示されるようにステイン塗料が着色されるので、リアルウッドの特有の高級な質感を付与することができる。
【０１３４】
さらに、前記デコ補強層３００の上部から斜めで見た場合には、前記彫り込み部５００の内部が半透過され、前記ウッド実写パターン２１０が、実際のウッドパネルを使用したものと類似したユニークで高級な美感を提供することで、製品の品質をさらに向上させることができる。
【０１３５】
一方、前記デコ層２００の上面に前記デコ補強層３００が形成されると（ｓ３０）、前記デコ補強層３００の上面が平坦化されるように前記平坦化層４００が形成される（ｓ４０）。
【０１３６】
具体的には、平坦化層４００は、透明アクリルウレタン系の樹脂からなるクリア塗料が前記デコ補強層３００の上面に塗布されて形成されてもよく、前記クリア塗料は、光沢クリア塗料または艶消しクリア塗料のいずれか一方からなってもよい。
【０１３７】
ここで、前記クリア塗料は、前記デコ補強層３００のステイン塗料と混合しないように、前記ステイン塗料の凝固後に塗布されることが望ましい。
【０１３８】
この時、前記クリア塗料は、有機溶剤の混合により高い流動性を有してもよい。
【０１３９】
これにより、前記平坦化層４００は、前記デコ補強層３００の上面が平坦化されるように塗布されてもよく、前記ウッド実写パターン２１０が外部に滑らかに表現され、立体感を実現して奥行き感を向上させることができる。
【０１４０】
また、前記平坦化層４００は、前記デコ補強層３００の上面をカバーするように塗布されるため、前記デコ層２００及び前記デコ補強層３００の摩耗などを最小化し、耐久性を向上させることができる。
【０１４１】
図１１〜図１６に示すように、本発明の前記デコ層２００は、ウッド実写パターン２１０に立体感が付与されるように、木目模様２０３の配列に沿って所定の長さ及び深さを有する彫り込み部５００が一体化される。
【０１４２】
また、前記デコ層２００には、前述したリアルウッドパターンだけでなく、柔らかいまたは粗い表面の性質を示す質感、色の明暗を表す明暗、物の容積や重量の感じをいう量感などの感覚的な性質を表現できるカーボンパターン、クロムパターン、定型化パターン、ストーンパターンなどを適用することもできる。
【０１４３】
この時、前記リアルウッドパターン、カーボンパターン、クロムパターン、定型化パターン、ストーンパターンなどは、パッド印刷、水圧転写、スクリーン印刷、ＩＭＤ（Ｉｎ  Ｍｏｌｄ  Ｄｅｃｏｒａｔｉｏｎ）、カラースプレー塗装、熱転写、ロール印刷、レーザ彫刻のうちのいずれか１つにより彫り込み部またはエンボス部を形成しながら作成される。
【０１４４】
また、前記デコ層２００の一側に形成されるデコ補強層３００では、塗料とエアを同時に噴霧して乾燥させる。
【０１４５】
この時、前記エアは、ヒーティング装置を通過して高温で噴射されるようにし、前記デコ層の上部にデコ補強層を積層形成した後、高温の乾燥炉を通過させながら乾燥させてもよい。
【０１４６】
一方では、前記ベース層１００は、所定の木目模様の配列に沿って所定の長さ及び深さを有する彫り込み部、所定の長さ及び高さを有するエンボス部のうちから選択される１つ以上が一体に形成されてもよい。
【０１４７】
他の一方では、前記ベース層１００をカップホルダー蓋７００に適用し、前記ベース層のカップホルダー蓋への適用時、デコ層及びデコ補強層を形成して質感や量感及び明暗を表現できるようにする。
【０１４８】
すなわち、前記カップホルダー蓋７００は、ベース層とデコ層及びデコ補強層が一体に積層されてなる。
【０１４９】
また、前記デコ層２００は、別途に製作された後、ベース層１００の上面に接着剤８００を用いて積層接合されてもよい。
【０１５０】
続いて、前記デコ層の上部面またはベース層の一側に象嵌取付部６１０を陥没形成して象嵌デコ６００を積層し、その上部にデコ補強層を積層形成してもよい。
【０１５１】
図１７〜図２１に示すように、本発明のデコレーションパネルＰは、カップホルダー蓋７００に適用される。
【０１５２】
そして、前記カップホルダー蓋７００は、一面が互いに連結されるか一体に連結される単位ブロック７１０の上面が一定面積を有する板状を呈し、曲げ可能に設けられる。
【０１５３】
この時、前記カップホルダー蓋７００は、カップホルダー本体７００Ａに沿って移動しながらカップホルダーの上部を開放したり覆ったりできるようにし、さらに開放時、カップホルダー蓋の一部、すなわち、各単位ブロックが曲げ可能に設けられる。
【０１５４】
加えて、前記単位ブロック７１０では、ベース層１００の上側にデコ層２００が一体化される構成を有する。
【０１５５】
そして、前記カップホルダー蓋７００に形成されるデコ層２００の上側にデコ補強層３００がさらに積層されてもよい。
【０１５６】
また、前記デコ層２００は、ベース層１００の上部に下塗り層を形成した後、その上部に形成されてもよく、前記ベース層１００の上部に直ちにデコ層を形成してもよい。
【０１５７】
加えて、前記デコ層は、下塗り層と中塗り層を形成した後、上部に積層形成してもよい。
【０１５８】
このとき、前記デコ層は、ベース層または下塗り層の上部にレーザ切断（彫刻）や水転写などにより彫り込み部を備えて形成される。
【０１５９】
そして、前記単位ブロック７１０では、デコ補強層の上側に平坦化のための平坦化層４００がさらに備えてもよい。
【０１６０】
加えて、前記カップホルダー蓋７００では、図１８に示すように、接着層を有するシートＣの上側に単位ブロック７１０を接合する構成、図１９に示すように、硬質材の単位ブロック７１０上側を軟質材の二重射出により一体に連結する構成、図２０に示すように、連結手段１５０を介して単位ブロックを互いに連結する構成を有してもよい。
【０１６１】
この時、前記連結手段１５０は、ヒンジ連結構造を有する。
【０１６２】
続いて、図２１に示すように、前記単位ブロック７１０では、同一の材質からなるとき、その連結部に流動ホール１７０を介在して、金型１９０によって複数個を一体に成形してもよい。
【０１６３】
そして、前記単位ブロック７１０では、デコ層またはベース層の一部に象嵌取付部６１０を陥没形成して象嵌デコ６００を積層し、その上部にデコ補強層３００を積層してもよい。
【０１６４】
この時、前記象嵌デコでは、ジャゲ、天然ウッド、メタル、布、カーボンシート、石などの天然または人造素材を積層挿入する。
【０１６５】
図２１及び図２２に示すように、本発明のデコレーションパネルＰは、自動車のダッシュボード、ドアトリム、コンソールトリムなどに適用するように一定の形状を有するベース層１００と、前記ベース層の上側に一体に積層形成されるデコ層２００との積層構造からなる。
【０１６６】
また、前記デコ層２００またはベース層１００の一側に象嵌取付部６１０が形成され、その内側に象嵌デコ６００がさらに積層される。
【０１６７】
一方、前記象嵌デコ６００では、象嵌取付部６１０の形状に対応する一定の形状で、シートＣの上側に、予め成形される基本デコ層Ｃ１が一体化され、前記シートＣを象嵌取付部６１０に積層接合してもよい。
【発明を実施するための形態】
【０１６８】
前記のような構成からなる本発明の動作みについて説明する。
【０１６９】
まず、所定の色を有しながら樹脂材質からなるベース層１００が準備される（ｓ１０）。
【０１７０】
ここで、前記ベース層１００は、アクリル系樹脂、ウレタン系樹脂、およびこれらの混合物からなる群の中から選択されたいずれか１つからなるベース原料と、熱吸収剤と前記所定の色に対応する色素とを含む添加剤と、が混合されてなる樹脂シート層１００ａと；前記樹脂シート層１００ａの上面及び下面のいずれか一方の面に備えられる紫外線吸収層１００ｂと；を含んでなってもよい。
【０１７１】
そして、前記ベース層１００の上面に、少なくとも１つ以上の色を有するウッド実写パターン２１０に対応するように、前記所定の色が半透過される複数の半透明性インクが印刷されてデコ層２００が形成される（ｓ２０）。
【０１７２】
ここで、前記ベース層１００の上面にデコ層２００が形成されると（ｓ２０）、既形成された層の外面に彫り込み部５００が形成されるように、レーザマーキング加工が行われてもよい。
【０１７３】
この際、前記既形成された層とは、各ステップ別に形成されるベース層１００、デコ層２００、デコ補強層３００及び平坦化層４００のうち、レーザマーキング加工を行うステップの前に形成された少なくとも１つ以上の層であると理解すればよい。
【０１７４】
すなわち、本実施形態において、前記既形成された層は、実質的に前記ベース層１００及び前記デコ層２００であると理解すればよい。
【０１７５】
ここで、前記各彫り込み溝５００ａ、５００ｂ、５００ｃの縁部に隣接する部分と、前記各彫り込み溝５００ａ、５００ｂ、５００ｃの内側とが、前記各彫り込み溝の彫り込み深さによって高さ差を有するので、前記ウッド実写パターン２１０に立体感を付与することができる。
【０１７６】
そして、前記デコ層２００及び前記ベース層１００に前記彫り込み部５００が形成されると、前記デコ層２００の上面にデコ補強層３００が形成される（ｓ３０）。
【０１７７】
この時、前記デコ補強層３００は、所定の色を有するが、前記ウッド実写パターン２１０が半透過されるステイン塗料が前記デコ層２００の上面に塗布されて形成されてもよい。
【０１７８】
これにより、前記デコ補強層３００を上側から見た場合、前記彫り込み部５００の内側に表示される色は、前記ベース層１００の前記所定の色及び前記デコ補強層３００の前記所定の色が混合されて表示されてもよい。
【０１７９】
そして、前記デコ層２００の上面に前記デコ補強層３００が形成された後、前記デコ補強層３００の上面が平坦化されるように平坦化層４００が形成される（ｓ４０）。
【０１８０】
この時、前記平坦化層４００は、透明アクリルウレタン系の樹脂からなるクリア塗料が塗布されて形成されてもよく、前記クリア塗料は、光沢クリア塗料または艶消しクリア塗料のいずれか一方からなってもよい。
【０１８１】
ここで、前記平坦化層４００は、前記デコ補強層３００の上面に均一に塗布されるだけでなく、前記彫り込み部５００の内部空間にも精密に充填され、前記デコ補強層３００の上面を平坦化することができる。
【０１８２】
これにより、前記デコ補強層３００を上側から見た場合、前記彫り込み部５００の内側に表示される色は、実質的に前記平坦化層４００を介して前記ベース層１００に透過されることによって、前記所定の色を表示することができる。
【０１８３】
また、前記ベース層に適用される原料は、アクリル系樹脂、ウレタン系樹脂、エポキシ樹脂、およびこれらの混合物からなる群の中から選択されたいずれか１つからなる。
【０１８４】
この時、前記アクリル系樹脂は、透明で、高い光透過率を有し、硬度及び光沢だけでなく、低温属性硬化性と接着性、耐摩耗性、耐衝撃性および耐洗濯性などの物性に優れており、前記ウレタン系樹脂は、伸縮性、耐摩耗性、加工性などに優れているという特徴がある。
【０１８５】
さらに、本発明は、ベース層と、その上部に彫り込み部が露出されるデコ層と、デコ補強層とが順次積層される構成、ベース層の一側面に彫り込み部が接触するようにデコ層を接合した後、その一側にデコ補強層を積層する構成など、さまざまな積層構造を適用して製造することができる。
【０１８６】
続いて、本発明は、前記デコ層またはベース層の一部に象嵌取付部を陥没形成して象嵌デコを積層することにより、さらに多様な表現が可能になる。
【０１８７】
一方、前記ベース層１００は、カップホルダー蓋７００に適用され、ウッド実写の表現をカップホルダー蓋で実現することにより、多様な表現が可能でありながらも、製品の価値を高めることになる。
【０１８８】
また、前記デコ層２００は、ベース層１００の上面に接着剤８００を用いて積層接合されて、簡単な構成による積層作業が可能になる。
【０１８９】
そして、前記デコ補強層３００は、塗料が前記デコ層２００の上面に塗布されて形成されてもよい。
【０１９０】
また、前記デコ補強層は、前記塗料がスプレーガンにより噴射されるか、ローラ等により前記デコ層の上面に塗布されて形成され、前記デコ補強層には透明塗料が混合されることにより、デコ層が透過されることが可能である。
【０１９１】
これにより、前記デコ補強層を上側から見た場合、前記デコ層が半透過され、リアルウッドの色味及び明暗などが鮮明に表示されるように塗料が着色されるので、リアルウッドの特有の高級感な質感を付与することができる。
【０１９２】
さらに、前記デコ補強層の上部から斜めで見た場合には、前記彫り込み部の内部が半透過され、前記デコ層が、実際のウッドパネルを使用したものと類似したユニークで高級な美感を提供することで、製品の品質をさらに向上させることができる。
【０１９３】
一方、本発明は、一面が互いに連結される単位ブロック７１０の上面が互いに密着して一定の面積を有する板状を呈し且つカップホルダー蓋７００が曲げ可能に設けられることで、カップホルダーの上部を覆うことができ、開放時に容易に曲げ可能である。
【０１９４】
この時、前記単位ブロック７１０は、ベース層１００、デコ層２００及びデコ補強層３００の積層構造からなり、カップホルダー蓋７００が実際の木の感じを出して製品の価値を高めることができる。
【０１９５】
また、前記デコ層２００は、下塗り層の上部にレーザ切断や水転写などにより彫り込み部を備えて形成され、リアルウッドなどのパターン層を様々な形状に形成することができる。
【０１９６】
そして、前記単位ブロック７１０では、デコ補強層の上側に平坦化層４００をさらに備えてい平坦化させることにより、異物等がたまるのを防止することができる。
【０１９７】
加えて、前記単位ブロック７１０は、接着層を有する射出物であるか、または接着層を有するシートＣの上側に接合される構成で製造が容易である。
【０１９８】
また、前記単位ブロック７１０は、それぞれの単体で製造した後、連結手段１５０を介して互いに連結されてもよい。
【０１９９】
続いて、前記単位ブロック７１０では、その連結部に流動ホール１７０を介在して、金型１９０によって複数個を一体に成形してもよく、この時、金型によって１回で製造してコストの低減を図ることができる。
【０２００】
そして、前記単位ブロック７１０では、デコ層またはベース層の一部に象嵌取付部６１０を陥没形成して象嵌デコ６００を積層することにより、より一層多様な演出を実現することができる。
【０２０１】
また、前記デコ補強層３００では、塗料とエアを同時に噴霧して自然乾燥または高温乾燥させることができ、不均一塗布による質感低下を防止することができる。
【０２０２】
また、前記ベース層では、所定の木目模様の配列に対応するように彫り込み部またはエンボス部を一体に形成して、その上部にデコ層を積層する際に別途の彫り込み部などを形成しなくても質感の表現が可能になる。
【０２０３】
一方、本発明のデコレーションパネルＰは、ダッシュボード、ドアトリム、コンソールトリムなどに適用するための部分に対応するように一定の形状を有するベース層１００と、前記ベース層の上側に一体に積層形成されるデコ層２００との積層構造からなり、自動車の室内に実際のウッドを適用した感じでその価値を高めることができる。
【０２０４】
また、前記デコ層２００またはベース層１００の一側に象嵌取付部６１０を形成した後、ジャゲ、天然ウッド、メタル、布、カーボンシート、石などの素材からなる象嵌デコ６００を積層することにより、ウッド実写はもちろん伝統の表現形式である象嵌を実現することができるので、様々な演出が可能になる。
【０２０５】
そして、前記デコ層２００及び象嵌デコ６００の上部には、デコ補強層３００を形成してリアルウッド、象嵌デコなどの耐久性を高めることはもとより、着色によって鮮明に表現することができる。
【０２０６】
一方、前記デコ補強層３００の上側に平坦化層４００をさらに備えることで、異物感を防止し、しかもウッド実写が可能になる。
【０２０７】
また、前記象嵌デコ６００では、彫り込み溝に対応する一定の形状を有する、シートＣの上側に予め成形される基本デコ層Ｃ１が一体化され、前記シートＣを象嵌取付部６１０に積層する簡単な構成で作業を行うことができ、工程を簡略化させることができる。
【０２０８】
さらに、本発明は、まず、一定の形状を有するベース層を形成した後、その上側に塗料の印刷やレーザ切断によるエンボス加工及び彫り込みで第１層、第２層を積層形成する。
【０２０９】
そして、前記デコ層２００は、パッド印刷、水圧転写、スクリーン印刷、熱転写、ロール印刷、レーザ彫刻、ＩＭＤ（Ｉｎ  Ｍｏｌｄ  Ｄｅｃｏｒａｔｉｏｎ）、カラースプレー塗装のうちから選択されたいずれか１つにより作られ、前記のような方法により作られたリアルウッドパターン、カーボンパターン、クロムパターン、定型化パターン、ストーンパターンなどからなる。
【０２１０】
また、前記デコ補強層では、塗料の噴射とエアの噴射とを同時に行い、乾燥させるか、積層したデコ補強層を乾燥炉に通すことにより、デコ補強層の均一な塗布で実際に近いウッド実写層を形成することができる。
【０２１１】
以上説明したように、本発明は上述した各実施形態に限定されるものではなく、本発明の請求項で請求する範囲を逸脱することなく、本発明が属する技術分野で通常の知識を有する者によって変形実施可能であり、このような変形例は、本発明の範囲に属するものである。
【産業上の利用可能性】
【０２１２】
本発明は、自動車のダッシュボード、ドアトリム、コンソールトリムなどに適用するデコレーションパネルに立体感及び質感を付与して品質性を改善することにより、製品の価値を高めるものである。
【図１】
0006952947.tif 000002
【図２】
0006952947.tif 000003
【図３】
0006952947.tif 000004
【図４】
0006952947.tif 000005
【図５】
0006952947.tif 000006
【図６】
0006952947.tif 000007
【図７】
0006952947.tif 000008
【図８】
0006952947.tif 000009
【図９】
0006952947.tif 000010
【図１０】
0006952947.tif 000011
【図１１】
0006952947.tif 000012
【図１２】
0006952947.tif 000013
【図１３】
0006952947.tif 000014
【図１４】
0006952947.tif 000015
【図１５】
0006952947.tif 000016
【図１６】
0006952947.tif 000017
【図１７】
0006952947.tif 000018
【図１８】
0006952947.tif 000019
【図１９】
0006952947.tif 000020
【図２０】
0006952947.tif 000021
【図２１】
0006952947.tif 000022
【図２２】
0006952947.tif 000023
【図２３】
0006952947.tif 000024